(57)【要約】【課題】汎用性が高く、杭を打ち込まなくても畦にしっかりと設置できて耐久性に優れ、かつコンクリート打設と比較して施工が簡単な、畦保護ブロック等を提供する。【解決手段】畦の一側壁を適便の長さ覆う立壁部２と、立壁部２の背面22の上下方向略中間部から延設され、畦に埋め込まれるアンカー部３と、を備えてなる畦保護ブロック１とした。このとき、アンカー部３は上下方向に貫通形成された畦土充填孔30を備えてなる、畦保護ブロック１とすることが好ましい。また、アンカー部３は先端部に張り出し片を備えてなる、畦保護ブロックとすることも好ましい。【選択図】図２
2009002025.tif 000002
【特許請求の範囲】
【請求項１】
畦の一側壁に沿う立壁部と、
該立壁部の背面の上下方向略中間部から延設され、畦に埋め込まれるアンカー部と、
を備えてなる、
畦保護ブロック。
【請求項２】
アンカー部は、
上下方向に貫通形成された畦土充填孔を備えてなる、
請求項１記載の畦保護ブロック。
【請求項３】
アンカー部は、
先端部に張り出し片を備えてなる、
請求項１又は請求項２記載の畦保護ブロック。
【請求項４】
立壁部は、
下端面に突起片を備えてなる、
請求項１〜３のいずれか記載の畦保護ブロック。
【請求項５】
請求項１〜４のいずれか記載の畦保護ブロックを畦に設置する方法であって、
畦の上面から所定の深さまで、畦の一側壁側が開口した上下方向の案内嵌合溝を掘削し、
立壁部の背面を畦の一側壁に沿わせながら前記案内嵌合溝にアンカー部を嵌め込み、
アンカー部が嵌め込まれた前記案内嵌合溝を畦の上面側から埋め戻すことによって、
畦保護ブロックを畦に設置する方法。
【請求項６】
請求項１〜４のいずれか記載の畦保護ブロックを畦に設置する方法であって、
畦の上面から所定の深さまで、畦の一側壁側が開口した上下方向の案内嵌合溝を掘削するとともに、畦の一側壁に隣接した田面を基盤まで掘り起こし、
前記案内嵌合溝にアンカー部を嵌め込んだ状態で、前記基盤上に立壁部の下端面を載置し、
アンカー部が嵌め込まれた前記案内嵌合溝を畦の上面側から埋め戻すとともに、掘り起こされた田面を埋め戻すことによって、
畦保護ブロックを畦に設置する方法。
【請求項７】
請求項１〜４のいずれか記載の畦保護ブロックを多数個並設して畦の一側壁を覆ってなる、
畦保護ブロックを使用した畦。
【発明の詳細な説明】
【技術分野】
【０００１】
本発明は、田や畑の畦を保護するための畦保護ブロック、この畦保護ブロックを使用した畦、およびこの畦保護ブロックを畦に設置する方法に関する。
【背景技術】
【０００２】
田や畑の畦は、これらの区画に沿って設けられており、通常、略台形状に土（畦土）を盛り上げて形成されている。機械等の搬入時や作業時には畦を通行することが多い。また、特に田の畦は、稲の苗を植え付けたり除草剤を散布して除草したりする際に、張られている用水を一定水位に保ったり、これによって除草剤を一定濃度に保ったりするという重要な役割を担っている。
【０００３】
しかし、畦は土で形成されているが故に、モグラやザリガニ等によって孔があけられ、これによって水漏れが生じ、用水を一定水位に保つ等の機能が失われて十分な育苗ができなくなることがあった。例えば、モグラの孔によって、２〜３時間のうちに田から用水が完全になくなってしまうことすらあった。
【０００４】
そこで、一般的に、畦の側壁をプラスチックシート（通常「あぜなみ」と呼ばれている）で覆って畦を保護することが行われている。しかし、この方法は、プラスチックシートの耐久性が低いため毎年交換する必要があり、煩雑なものであった。
【０００５】
一方、耐久性を確保し交換などの煩雑さを解消するため、畦の側壁をコンクリートで固める方法がある。しかし、この方法は、型枠を組んだ後、コンクリートを打設し、最後に型枠を外す等といった工程が必要であり、施工に時間と費用がかかるものであった。そこで、コンクリート製のカバーで畦を覆う方法等が提案されており、そのためのコンクリートブロックが、下記特許文献１や下記特許文献２に記載されている。
【０００６】
特許文献１には、「上面と両側面が一体成型された逆凹型材を既存の畦の上から被せ、上面と側面より杭を打ち込んで敷設していくことが出来るブロック」が記載されている。そして、これによって「現存する畦の上からそのまま被せ、移動等せぬように上面及び側面より杭にて取り付けを簡単にすることが出来る。雑草も生えず毎年数回の雑草刈り取りもなく、また上部をそのまま歩くことも出来る永久的な水田専用のブロックである。」と記載されている。
【０００７】
一方、特許文献２には、「上面と側面が同時に成型されたＬ型ブロック」が記載されている。そして、これによって「打ち込むことにより簡単に側壁を造ることが出来ると同時に上部の雑草をも止めることが出来又耐用年数も半永久的である。」と記載されている。
【０００８】
【特許文献１】登録実用新案第３０６２９５９号公報
【特許文献２】登録実用新案第３０６３８２２号公報
【発明の開示】
【発明が解決しようとする課題】
【０００９】
しかし、上記特許文献１に記載されたブロックは、設置対象である畦の形状や大きさに合わせて成型する必要があり、汎用性に乏しいものであった。例えば、ブロックの幅が畦の幅より小さい場合には、ブロックを畦に被せることができなかった。また、ブロックの高さが畦の高さより短い場合には、畦の側壁下部をブロックで覆うことができず、この部分からモグラ等が孔をあけることがあった。ここで、ブロックの形状等に合わせて畦の形状を修正することも考えられるが、非常に大変な作業であった。
また、隣接する田や畑の所有者から同意が得られない場合、設置することができないものであった。
さらに、畦の通気性が極端に悪化し、水分含有率も極端に低下することがあり、状況によっては、地中のバクテリアが死滅して、土壌に悪影響をもたらすこともあった。
【００１０】
一方、上記特許文献２に記載されたL型ブロックでは、隣接する田等の所有者からの同意が得られやすく、また、畦の通気性や水分含有率も確保しやすい。しかし、上記特許文献１に記載されたブロックと同様、設置対象である畦の形状や大きさに合わせて成型する必要があり、やはり汎用性に乏しいものであった。特に、片足状であるため、L型ブロックの高さよりも畦の高さが低い場合、L型ブロックの上面である歩行面が水平になるように設置することが困難であり、また、この状態ではL型ブロックを畦にしっかりと固定しにくくなっていた。このような場合、畦の高さをL型ブロックの高さに合わせるため、畦に盛土等する必要があった。
さらに、このL型ブロックを畦に固定するためには、L型ブロックに設けられた貫通孔から畦に向かって杭を打ち込む必要があった。このとき、L型ブロックをしっかりと設置するためには強度に優れた金属製の杭を用いて、これを深くまで打ち込む必要があった。しかし、経年的に杭が腐食してL型ブロックが畦から外れることがあった。これを防ぐためにステンレスなどの耐腐食性に優れた杭を用いることもできるが、材料費が非常に嵩むという問題があった。
【００１１】
本発明は、上記課題を解決するものであり、汎用性が高く、杭を打ち込まなくても畦にしっかりと設置できて耐久性に優れ、かつコンクリート打設と比較して施工が簡単な、畦保護ブロック等を提供するものである。
【課題を解決するための手段】
【００１２】
上記課題を解決するために、畦の一側壁に沿う立壁部と、立壁部の背面の上下方向中間部から延設され、畦に埋め込まれるアンカー部と、を備えてなる、畦保護ブロックとした。
【００１３】
この畦保護ブロックは立壁部を備えており、この立壁部が畦の一側壁を補強して、モグラ等によって畦に孔があけられることを防止する作用を担う。
また、上記畦保護ブロックはアンカー部を備えており、このアンカー部が畦に埋め込まれることによって畦保護ブロックが畦に固定されるため、杭を打ち込まなくても畦にしっかりと設置できて耐久性に優れた畦保護ブロックとなる。
さらに、アンカー部が立壁部の背面の上下方向略中間部から延設されているため、畦に設置した際、設置強度と設置安定性に優れた畦保護ブロックとなる。
加えて、畦の幅寸法に関係なく設置することができるとともに、立壁部の高さと畦の高さが一致していなくても設置することができ、汎用性が高い畦保護ブロックとなる。
さらに加えて、型枠を組む必要等がなく、コンクリート打設と比較して施工が簡単な畦保護ブロックとなる。
【００１４】
アンカー部は、上下方向に貫通形成された畦土充填孔を備えてなる、畦保護ブロックとすることができる。
【００１５】
この畦保護ブロックはアンカー部に畦土充填孔を備えており、アンカー部を畦に埋め込むと畦土充填孔に土が充填されることによって、アンカー部を畦から引き抜く際の抵抗が増し、畦に強固に設置することができる畦保護ブロックとなる。ここで、本発明の畦保護ブロックは畦の上面をブロックで覆う構成ではないため、機械等の搬入時や作業時に畦を通行することで畦土が固められ、アンカー部を畦から引き抜く際の抵抗が経時的に増加することになる。
【００１６】
アンカー部は、先端部に張り出し片を備えてなる、畦保護ブロックとすることもできる。
【００１７】
これによっても、アンカー部を畦から引き抜く際の抵抗が増し、畦に強固に設置することができる畦保護ブロックとなる。
【００１８】
立壁部は、下端面に突起片を備えてなる、畦保護ブロックとすることもできる。
【００１９】
これによっても、畦に強固に設置することができる畦保護ブロックとなる。
【００２０】
これらの畦保護ブロックを畦に設置する方法としては、畦の上面から所定の深さまで、畦の一側壁側が開口した上下方向の案内嵌合溝を掘削し、立壁部の背面を畦の一側壁に沿わせながら案内嵌合溝にアンカー部を嵌め込み、アンカー部が嵌め込まれた案内嵌合溝を畦の上面側から埋め戻すことによって、畦保護ブロックを畦に設置する方法を提示する。
【００２１】
また、これらの畦保護ブロックを畦に設置する方法としては、畦の上面から所定の深さまで、畦の一側壁側が開口した上下方向の案内嵌合溝を掘削するとともに、畦の一側壁に隣接した田面を基盤まで掘り起こし、案内嵌合溝にアンカー部を嵌め込んだ状態で、基盤上に立壁部の下端面を載置し、アンカー部が嵌め込まれた案内嵌合溝を畦の上面側から埋め戻すとともに、掘り起こされた田面を埋め戻すことによって、畦保護ブロックを畦に設置する方法としてもよい。
【００２２】
また、前記課題は、上記いずれかの畦保護ブロックを多数個並設して畦の一側壁を覆ってなる、畦保護ブロックを使用した畦とすることでも解決される。
【発明の効果】
【００２３】
本発明により、汎用性が高く、杭を打ち込まなくても畦にしっかりと設置できて耐久性に優れ、かつコンクリート打設と比較して施工が簡単な、畦保護ブロック等を提供することができる。
【発明を実施するための最良の形態】
【００２４】
以下、図を用いて、本発明の実施形態を例示説明する。図１および図２は畦保護ブロックを示す斜視図であり、図３は図１の畦保護ブロックを畦に設置する手順を示す斜視図であり、図４は図１の畦保護ブロックを畦に多数個並設した状態を示す斜視図である。また、図５〜図８は畦保護ブロックの各種変形例を説明するための斜視図である。
まず、図１〜図４を用いて、畦保護ブロックおよび畦保護ブロックを畦に設置する手順等を例示説明する。
【００２５】
［畦保護ブロック］
図１は、畦保護ブロックを示す斜視図であり、図２は図１の畦保護ブロックを背後から見た斜視図である。
例示された畦保護ブロック１は、立壁部２とアンカー部３とで構成され、アンカー部３は畦土充填孔30を備えている。なお、これら各要素の具体的な構成等は以下の説明や各図面によって限定されるものではない。
【００２６】
立壁部２は、図１および図２に示すように、横長矩形で薄型の板状ブロックでありコンクリート製である。この立壁部２の正面21は、畦に設置される際に田や畑の方向を向く。一方、立壁部２の背面22（図２参照）は、畦の一側壁と対面する畦側の面であり、畦保護ブロックを畦に設置する際にその一側壁（畦保護ブロックを設置する側の壁）に沿う面である。
立壁部２の高さ寸法は、この立壁部２が畦の一側壁を適便の長さ覆うことを考慮すると、畦の一側壁の高さ寸法（一側壁が傾斜面の場合は壁面に沿った上下寸法）とほぼ同じか、これよりも大きいことが好ましい。しかし、これに限定されず、畦の一側壁の高さ寸法より若干小さくてもよい。一方、立壁部２の長さ寸法も特に制限されないが、長すぎると運搬や設置に手間取ることがあり、反対に短すぎると、畦の一側壁を長さ方向に亘って覆うために多くの畦保護ブロックが必要になって作業工数が増加することから、適当な長さにする必要がある。
【００２７】
アンカー部３は、図１および図２に示すように、矩形の板状ブロックでありコンクリート製である。アンカー部３は、立壁部２の背面22（図２参照）の上下方向のほぼ中央部で且つ左右方向の中央から水平に延設されており、畦土を充填するための円形の畦土充填孔30が、上下方向（鉛直方向）に貫通形成されている。このアンカー部３が略水平状態で畦に埋め込まれることによって畦保護ブロック１が畦に固定されることになる。本例では、アンカー部３はコンクリートで立壁部２と一体成型してある。
アンカー部３が背面22から延設される基端位置は、具体的には、背面22の上下方向の中央（中央線）から、上下にそれぞれ向かって、背面22の上端または下端までの距離の30%以下の距離範囲にある。
アンカー部３の突出する長さ（背面22から延びる長さ）は、後述する手順で畦保護ブロック１を畦に設置した際、その先端部が畦を貫通して他側壁から現れない限りにおいて、長ければ長いほど設置強度を増加させることができて好ましい。アンカー部３の長さが極端に短くなると、設置強度が低下する。アンカー部３の長さは立壁部２の高さ寸法の30%以上であることが好ましい。アンカー部３の長さは、より好ましくは立壁部２の高さ寸法の50%以上であり、最も好ましくは立壁部２の高さ寸法の70%以上である。
また、本実施形態においては、畦土充填孔30の形状を円形としたが、これに制限されない。四角形や六角形の多角形や、楕円形の畦土充填孔としてもよい。設置強度や設置安定性の面からは、畦土充填孔30をアンカー部３の先端側に設けることが好ましいが、これに限定されず、アンカー部３の基端側に設けてもよい。畦土充填孔の個数も特に制限されず、アンカー部３に複数個設けてもよい。
【００２８】
［畦保護ブロックの設置手順］
次に、図３を用いて畦保護ブロックを畦に設置する手順を例示説明する。図３(A)は畦と田を示す斜視図であり、同(B)は田面を基盤まで掘り起こした状態を示す斜視図であり、同(C)は畦に上下方向の案内嵌合溝を掘削した状態を示す斜視図である。また、同(D)は基盤上に立壁部の下端面を載置しながら案内嵌合溝にアンカー部を嵌め込んだ状態を示す斜視図であり、同(E)は掘り起こされた田面と案内嵌合溝を共に埋め戻した状態を示す斜視図であり、同(F)は畦保護ブロックを設置した畦を示す斜視図である。なお、図３(B)〜図３(E)において、理解を助ける目的で、畦９と田８の断面部分におけるハッチングを省略してある。
【００２９】
まず、図３(A)の状態から、同(B)に示すように、畦９の一側壁の下端部と隣接した田面81を基盤82付近まで、畦９の一側壁の長さ方向に沿ってライン状に掘り起こす。この作業で掘り起こされる部分は一般的に「肥土（こえつち）」と呼ばれる部分である。この掘り起こしは、稲刈りの後にトラクターで田８を耕す、いわゆる「秋引き」終了後に行うと作業がしやすい。次に、同(C)に示すように、畦９の上面から所定の深さまで、畦９の一側壁側が開いた上下方向の案内嵌合溝90を掘削する。案内嵌合溝90は、畦９の上面と畦９の一側壁側とが開口していることになる。案内嵌合溝90の深さは、掘り起こされた基盤82上に立壁部２の下端面を載置した状態で、アンカー部３の位置と対応する深さであることが好ましい。次に、同(D)に示すように、基盤82上に立壁部２の下端面を載置しつつ案内嵌合溝90にアンカー部３を嵌め込んで、立壁部２の背面(22)を畦９の一側壁に沿わせる。最後に、掘り起こされた田面81を埋め戻すとともに、アンカー部３が嵌め込まれている案内嵌合溝90を、アンカー部３に設けた畦土充填孔(30)に畦土を充填しながら、畦９の上面側から埋め戻して同(E)及び(F)に示すような設置状態となる。
ここで、田面81を基盤82まで掘り起こした後で、上下方向の案内嵌合溝90を掘削したが（同(B)→同(C)）これに限定されず、まず案内嵌合溝90を掘削した後に、基盤82まで掘り起こしてもよい。しかし、田面81を基盤82まで掘り起こした後で案内嵌合溝90を掘削した方が、案内嵌合溝90の深さを決定しやすい。
【００３０】
同様の設置手順を、畦９の長さ方向に所定寸法シフトさせて行い、畦保護ブロック１を畦９に多数個並設すると、図４のような、畦保護ブロック１を使用した畦９を構成することができる。図４では、四個の畦保護ブロック１が畦９の長さ方向に沿って並設されている。
【００３１】
［畦保護ブロックの変形例］
次に、畦保護ブロックの各種変形例を、図５〜図８を用いて説明する。図５はアンカー部に張り出し片を備えた畦保護ブロックを示す斜視図であり、図６は立壁部の下端面に突起片を備えた畦保護ブロックを示す斜視図である。また、図７は立壁部の左右端面に線状突起と線状溝を割り当てて備えた畦保護ブロックを示す斜視図であり、図８はアンカー部を二つ備えた畦保護ブロックを示す斜視図である。なお、前述した畦保護ブロックと同様の構成要素については同様の符号を付し、その説明を省略する。
【００３２】
図５(A)及び同(B)の畦保護ブロック1a,1bは、アンカー部3a,3bの先端部に張り出し片31a,31bを備えている。図５(A)では張り出し片31aが左右両方向に張り出しており、同(B)では張り出し片31bが上下両方向に張り出している。この様な構成によって、畦保護ブロック1a,1bを畦に強固に設置することができる。なお、これらの畦保護ブロック1a,1bには、前述したような畦土充填孔(30)をアンカー部3a,3bに設けていないが、これを設けてもよい。
【００３３】
次に、図６の畦保護ブロック1cは、立壁部2cの下端面23cに、下方を向いた複数個の略円錐状の突起片26cを備えている。この様な構成によっても、畦保護ブロック1cを畦に強固に設置することができる。
【００３４】
次に、図７の畦保護ブロック1dは、立壁部2dの一側端面に上端から下端まで凸状部（線状突起）27dを備えるとともに、立壁部2dの他側端面に上端から下端まで、凸状部と嵌合自在な凹状部（線状溝）28dを備えている。この様な構成によって、隣り合う畦保護ブロック1dの位置ずれを防止できるとともに、設置作業がしやすくなる。
【００３５】
最後に、図８の畦保護ブロック1eは、長さ寸法の大きな立壁部2eを使用し、その背面22eの上下方向のほぼ中央部で左右二カ所にアンカー部３を備えている。この様な構成によって、長尺状の立壁部2eであっても畦保護ブロック1eを畦に強固に設置することができる。ここで、アンカー部３は二カ所のみに限定されず、一カ所または三カ所以上設けてもよい。
【００３６】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【００３７】
例えば、上記実施形態では立壁部とアンカー部が一体成型されているが、これに限定されず、立壁部とアンカー部を別々に成型した後、これらを接合等してもよい。この接合方法について具体的には、例えば、立壁部の正面と背面を貫通する貫通孔を設け、アンカー部の基端面に螺合穴を設け、立壁部の正面から貫通孔にボルトを貫通させ、アンカー部の基端面の螺合穴にボルトの先端部を螺合して立壁部とアンカー部を接合すればよい。貫通孔と螺合穴を複数個設け、それぞれにボルトを使用してもよい。
【図面の簡単な説明】
【００３８】
【図１】畦保護ブロックを示す斜視図である。
【図２】図１の畦保護ブロックを背後から見た斜視図である。
【図３】図１の畦保護ブロックを畦に設置する手順を示す斜視図である。
【図４】図１の畦保護ブロックを畦に多数個並設した状態を示す斜視図である。
【図５】張り出し片を備えた畦保護ブロックを示す斜視図である。
【図６】突起片を備えた畦保護ブロックを示す斜視図である。
【図７】線状突起と線状溝を備えた畦保護ブロックを示す斜視図である。
【図８】アンカー部を二つ備えた畦保護ブロックを示す斜視図である。
【符号の説明】
【００３９】
１,1a,1b,1c,1d,1e     畦保護ブロック
２,2c,2d,2e           立壁部
22,22c,22d,22e             背面
23,23c,23d,23e             下端面
26c                        突起片
３,3a,3b               アンカー部
30                     畦土充填孔
31a,31b               張り出し片
８        田
81        田面
82        基盤
９        畦
90        案内嵌合溝
【図１】
2009002025.tif 000003
【図２】
2009002025.tif 000004
【図３】
2009002025.tif 000005
【図４】
2009002025.tif 000006
【図５】
2009002025.tif 000007
【図６】
2009002025.tif 000008
【図７】
2009002025.tif 000009
【図８】
2009002025.tif 000010